(57)【特許請求の範囲】
【請求項１】
高圧受電の電力需要家に設置された電力量計から出力される計量パルスに基づいて最大需要電力を常時監視するデマンド監視装置について設置時の試験あるいは設置後の検査を実施するデマンド監視システムであって、
前記電力量計から取り外された前記デマンド監視装置に接続され、前記電力量計から出力される計量パルスと同等の計量パルスを擬似的に生成し、その擬似的な計量パルスをデマンド監視装置に送出するデマンドパルス出力装置と、前記デマンド監視装置に接続されると共に前記デマンドパルス出力装置に接続され、需要電力に応じた警報状態を表示する表示装置とで構成され、前記デマンドパルス出力装置から出力される計量パルスを可変させるようにしたことを特徴とするデマンド監視システム。
【請求項２】
前記電力量計は、計量パルスに加えて時限パルスを出力し、前記デマンドパルス出力装置は、前記電力量計から出力される計量パルスおよび時限パルスと同等の計量パルスおよび時限パルスを擬似的に生成し、その擬似的な計量パルスおよび時限パルスをデマンド監視装置に送出するようにした請求項１に記載のデマンド監視システム。
【請求項３】
前記デマンドパルス出力装置は、メニューモード、校正モード、可変モード、表示モードおよび動作確認モードを選択可能とした請求項１又は２に記載のデマンド監視システム。
【請求項４】
前記デマンドパルス出力装置のメニューモードは、前記電力量計の種別に応じた計量パルスを出力するように変成比を設定可能とした請求項１〜３のいずれか一項に記載のデマンド監視システム。
【請求項５】
前記デマンドパルス出力装置の校正モードは、前記電力量計の種別に応じたパルス定数を選択可能とした請求項１〜３のいずれか一項に記載のデマンド監視システム。
【請求項６】
前記デマンドパルス出力装置の可変モードは、前記電力量計の種別に応じたパルス定数を選択可能にすると共に、前記デマンド監視装置で警報を発する時の電力量を変更可能とした請求項１〜３のいずれか一項に記載のデマンド監視システム。
【請求項７】
前記デマンドパルス出力装置の表示モードは、デマンドパルス出力装置から出力される計量パルスを自動的に可変させることにより、その計量パルスに応じた警報状態を、前記デマンド監視装置から前記表示装置へ出力すると共にその表示装置からデマンドパルス出力装置へ出力する一連の動作を、可変された計量パルスごとに繰り返し可能とした請求項１〜３のいずれか一項に記載のデマンド監視システム。
【請求項８】
前記デマンドパルス出力装置の動作確認モードは、限界デマンド電力以上に相当する計量パルスを前記デマンドパルス出力装置から出力し、デマンド周期の中間点で電力増加分の傾きをデマンド監視装置で検出し、前記電力増加分の傾きに応じた予測デマンド電力をデマンド監視装置で計量し、前記予測デマンド電力に基づいて、前記デマンド監視装置の出力に接続された負荷機器を前記デマンド周期の終点で目標デマンド電力以下となるように制御するようにした請求項１〜３のいずれか一項に記載のデマンド監視システム。
【請求項９】
前記デマンドパルス出力装置から出力される擬似的な計量パルスに相当するデマンド値および積算計量値を前記デマンド監視装置で計測し、前記デマンド値および積算計量値を記録するメモリを前記デマンド監視装置に内蔵させた請求項１〜８のいずれか一項に記載のデマンド監視システム。
【請求項１０】
前記デマンドパルス出力装置と前記デマンド監視装置とを一体化した請求項１〜９のいずれか一項に記載のデマンド監視システム。
【発明の詳細な説明】
【技術分野】
【０００１】
本発明は、最大需要電力を常時監視しながら契約電力を超過する最大需要電力の発生が予測される時に警報を発するデマンド監視装置について、その設置時の試験あるいは設置後の検査を実施するためのデマンド監視システムに関する。
【背景技術】
【０００２】
高圧受電の電力需要家に設置された電力量計には、３０分間の電力使用量を計測するものが使用されている。この電力量計の計測値から求められた平均使用電力を３０分デマンド値として、１ヶ月の中で最大の３０分デマンド値をその月の最大需要電力（最大デマンド値）としている。
【０００３】
この高圧受電の電力需要家では、その月と過去１１ヶ月の最大需要電力の中で最も大きな値が基本料金の計算に使用されることから、その最大需要電力が契約電力を超過すると、新たに契約電力を変更することになる。そのため、高圧受電の電力需要家では、最大需要電力を常時監視しながら、高負荷電力の使用などにより契約電力を超過する最大需要電力の発生が予測される時に警報を発するデマンド監視装置が設置されている（例えば、特許文献１参照）。
【０００４】
この特許文献１に開示されたデマンド監視装置は、現在の運転状態が定常運転である時には現在までの使用電力量に基づいてデマンド周期の終了時の電力デマンド予測を算出し、高負荷の電力を一定期間使用する特定運転である時には特定運転期間については現在までの使用電力量に基づいて電力デマンド予測を算出し、特定運転期間経過後については、予め設定された定常運転に関する定数に基づいて電力デマンド予測を算出することにより、デマンド周期の終了時の電力デマンド予測を算出する電力デマンド予測算出部と、算出された電力デマンド予測が、保持している電力デマンド上限値を超過した時に警報を出力する警報出力部を備えている。
【先行技術文献】
【特許文献】
【０００５】
【特許文献１】特開２０１１−６１９９１号公報
【発明の概要】
【発明が解決しようとする課題】
【０００６】
ところで、特許文献１に開示されたデマンド監視装置を高圧受電の電力需要家に新たに設置する場合、そのデマンド監視装置が正常に動作するか否かについて性能試験を実施することが望ましい。また、デマンド監視装置を高圧受電の電力需要家に設置した後であっても、そのデマンド監視装置に表示されるデマンド値の異常が発生することがある。このような場合、デマンド監視装置本体の異常であるのか、あるいはデマンド監視装置の設置環境の影響による異常であるのかを判断するためにデマンド監視装置について検査を実施することが望ましい。
【０００７】
しかしながら、前述したデマンド監視装置の動作を確認するための装置がないため、そのデマンド監視装置が正常に動作するか否かについて性能試験を実施したり、デマンド監視装置本体の異常であるのか、あるいはデマンド監視装置の設置環境の影響による異常であるのかを判断するためにデマンド監視装置について検査を実施したりすることができないというのが現状であった。そのため、デマンド監視装置について設置時の試験あるいは設置後の検査を実施できるようにすることが要望されていた。
【０００８】
そこで、本発明は前述の要望に鑑みて提案されたもので、その目的とするところは、簡便な手段により、デマンド監視装置について設置時の試験あるいは設置後の検査を容易に実施し得るデマンド監視システムを提供することにある。
【課題を解決するための手段】
【０００９】
前述の目的を達成するための技術的手段として、本発明に係るデマンド監視システムは、高圧受電の電力需要家に設置された電力量計から出力される計量パルスに基づいて最大需要電力を常時監視するデマンド監視装置について設置時の試験あるいは設置後の検査を実施するデマンド監視システムであって、電力量計から取り外されたデマンド監視装置に接続され、電力量計から出力される計量パルスと同等の計量パルスを擬似的に生成し、その擬似的な計量パルスをデマンド監視装置に送出するデマンドパルス出力装置と、デマンド監視装置に接続されると共にデマンドパルス出力装置に接続され、需要電力に応じた警報状態を表示する表示装置とで構成され、デマンドパルス出力装置から出力される計量パルスを可変させるようにしたことを特徴とする。ここで、「計量パルス」とは、電力量計で計量された計測値としての電力量に相当するパルス数を持つ信号を意味する。
【００１０】
本発明では、デマンド監視装置の設置時、そのデマンド監視装置が正常に動作するか否かについて性能試験を実施したり、また、デマンド監視装置の設置後、そのデマンド監視装置本体の異常であるのか、あるいはデマンド監視装置の設置環境の影響による異常であるのかを判断するためにデマンド監視装置について検査を実施したりするに際して、まず、そのデマンド監視装置の入力を電力量計の出力から取り外す。
【００１１】
その上で、電力量計から出力される計量パルスと同等の計量パルスを擬似的に生成するデマンドパルス出力装置を、電力量計から取り外されたデマンド監視装置に接続する。また、デマンド監視装置およびデマンドパルス出力装置に、需要電力に応じた警報状態を表示する表示装置を接続する。
【００１２】
このようにして、デマンドパルス出力装置で生成された擬似的な計量パルスをデマンド監視装置へ送出することにより、電力量計から出力される計量パルスをデマンド監視装置へ送出する場合と同等な状態に設定することで、デマンド監視装置の設置時、そのデマンド監視装置が正常動作するか否かについて性能試験を実施することができる。また、デマンド監視装置の設置後、そのデマンド監視装置本体の異常であるのか、あるいはデマンド監視装置の設置環境の影響による異常であるのかを判断するためにデマンド監視装置について検査を実施することも可能となる。
【００１３】
本発明における電力量計は、計量パルスに加えて時限パルスを出力し、デマンドパルス出力装置は、電力量計から出力される計量パルスおよび時限パルスと同等の計量パルスおよび時限パルスを擬似的に生成し、その擬似的な計量パルスおよび時限パルスをデマンド監視装置に送出するようにした場合にも適用可能である。ここで、「時限パルス」とは、電力量計で計量された計測値としての電力量からデマンド値を求めるための時間に相当するパルス数を持つ信号を意味する。
【００１４】
本発明におけるデマンドパルス出力装置は、メニューモード、校正モード、可変モード、表示モードおよび動作確認モードを選択可能とすることが望ましい。このように、メニューモード、校正モード、可変モードを選択可能とすれば、擬似的な時限パルスおよび計量パルスを出力するための各種条件を容易に設定することができる。また、表示モードおよび動作確認モードを選択可能とすれば、デマンド監視装置および負荷機器の制御状態を確認することができる。
【００１５】
本発明におけるデマンドパルス出力装置のメニューモードでは、電力量計の種別に応じた計量パルスを出力するように変成比を設定可能とすることが望ましい。このようにすれば、デマンドパルス出力装置における変成比を電力量計における変成比に合わせることができ、デマンドパルス出力装置が接続されたデマンド監視装置を、電力量計に接続した場合と同様に動作させることができる。
【００１６】
本発明におけるデマンドパルス出力装置の校正モードでは、電力量計の種別に応じたパルス定数を選択可能とすることが望ましい。このようにすれば、デマンドパルス出力装置における計量パルスを電力量計が出力する計量パルスに合わせることができ、デマンドパルス出力装置が接続されたデマンド監視装置を、電力量計に接続した場合と同様に動作させることができる。
【００１７】
本発明におけるデマンドパルス出力装置の可変モードでは、電力量計の種別に応じたパルス定数を選択可能にすると共に、デマンド監視装置で警報を発する時の電力量を変更可能とすることが望ましい。このようにすれば、デマンドパルス出力装置における計量パルスを電力量計が出力する計量パルスに合わせることができ、デマンドパルス出力装置が接続されたデマンド監視装置を、電力量計に接続した場合と同様に動作させることができる。また、デマンド監視装置で警報を発する時の電力量を任意の値に設定することができる。
【００１８】
本発明におけるデマンドパルス出力装置の表示モードでは、デマンドパルス出力装置から出力される計量パルスを自動的に可変させることにより、その計量パルスに応じた警報状態を、デマンド監視装置から表示装置へ出力すると共にその表示装置からデマンドパルス出力装置へ出力する一連の動作を、可変された計量パルスごとに繰り返し可能とすることが望ましい。このようにすれば、デマンド監視装置の表示動作および制御動作が正常に繰り返すか否かを確認することができる。
【００１９】
本発明におけるデマンドパルス出力装置の動作確認モードは、限界デマンド電力以上に相当する計量パルスをデマンドパルス出力装置から出力し、デマンド周期の中間点で電力増加分の傾きをデマンド監視装置で検出し、その電力増加分の傾きに応じた予測デマンド電力をデマンド監視装置で計量し、その予測デマンド電力に基づいて、デマンド監視装置の出力に接続された負荷機器をデマンド周期の終点で目標デマンド電力以下となるように制御することが望ましい。このようにすれば、負荷機器がデマンド周期の終点で目標デマンド電力以下となるように正常に制御されているか否かを動作確認することができる。
【００２０】
本発明において、デマンドパルス出力装置から出力される擬似的な計量パルスに相当するデマンド値および積算計量値をデマンド監視装置で計測し、デマンド値および積算計量値を記録するメモリをデマンド監視装置に内蔵させた構造が望ましい。このようにすれば、擬似的な計量パルスに相当するデマンド値および積算計量値がデマンド監視装置により正確に計測されているか否かを確認することができる。
【００２１】
本発明において、デマンドパルス出力装置とデマンド監視装置とを一体化した構造が望ましい。このようにすれば、デマンド監視システムのコンパクト化を図ることができる。
【発明の効果】
【００２２】
本発明によれば、デマンドパルス出力装置で生成された擬似的な計量パルスをデマンド監視装置へ送出することにより、デマンド監視装置の設置時、そのデマンド監視装置が正常動作するか否かについて性能試験を実施することができる。また、デマンド監視装置の設置後、そのデマンド監視装置本体の異常であるのか、あるいはデマンド監視装置の設置環境の影響による異常であるのかを判断するためにデマンド監視装置について検査を実施することも可能である。このようにして、簡便な手段により、デマンド監視装置について設置時の試験あるいは設置後の検査を容易に実施し得ることで、信頼性の高いデマンド監視装置を提供することができる。
【図面の簡単な説明】
【００２３】
【図１】本発明に係るデマンド監視システムの実施形態で、デマンド監視装置にデマンドパルス出力装置および表示装置を接続した状態を示す構成図である。
【図２】高圧受電の電力需要家に設置された電力量計にデマンド監視装置を接続すると共にそのデマンド監視装置に負荷機器を接続した状態を示す構成図である。
【図３】デマンドパルス出力装置におけるメニューモード、校正モード、可変モードおよび動作確認モードを説明するための機能ブロック図である。
【図４】デマンドパルス出力装置における表示モードを説明するための機能ブロック図である。
【図５】メニューモードにおける変成比を示す表である。
【図６】表示モードにおける警報状態での電力量を示す表である。
【図７】表示モードにおけるシステム動作を説明するためのグラフである。
【図８】動作確認モードにおけるシステム動作を説明するためのグラフである。
【発明を実施するための形態】
【００２４】
本発明に係るデマンド監視システムの実施形態を以下に詳述する。なお、図１は電力量計１１から取り外したデマンド監視装置１２にデマンドパルス出力装置１３および表示装置１４を接続した状態のデマンド監視システムの全体構成を示し、図２はデマンド監視装置１２にデマンドパルス出力装置１３（図１参照）を接続していない状態、つまり、電力量計１１に接続されたデマンド監視装置１２の稼働状態を示す。
【００２５】
図２に示すように、交流三相６６００Ｖの配電線１５に計器用変圧器１６（ＶＴ）および変流器１７（ＣＴ）を介して電力量計１１を接続し、その電力量計１１の出力にデマンド監視装置１２が接続されている。このデマンド監視装置１２の出力には、制御対象である空調設備などの負荷機器１８が接続されている。高圧受電の電力需要家に設置された電力量計１１には、３０分間の電力使用量を計測するものが使用される。この電力量計１１の計測値から求められた平均使用電力を３０分デマンド値として、１ヶ月の中で最大の３０分デマンド値をその月の最大需要電力（最大デマンド値）としている。
【００２６】
この高圧受電の電力需要家では、その月と過去１１ヶ月の最大需要電力の中で最も大きな値が基本料金の計算に使用されることから、その最大需要電力が契約電力を超過すると、新たに契約電力を変更することになる。そのため、高圧受電の電力需要家では、最大需要電力を常時監視しながら、高負荷電力の使用などにより契約電力を超過する最大需要電力の発生が予測される時に警報を発するデマンド監視装置１２が前述の電力量計１１に接続されている。
【００２７】
このデマンド監視装置１２は、電力量計１１から出力される時限パルスおよび計量パルスに基づいて最大需要電力を常時監視し、例えば高負荷電力の使用により契約電力を超過する最大需要電力の発生が予測される時に、例えば「余裕」「注意」「限界」からなる三段階の警報信号を負荷機器１８に段階的に出力するようにしている。一例として、警報状態が「余裕」の場合には負荷機器１８を１００％稼働させ、警報状態が「注意」の場合には負荷機器１８を７０％稼働させ、警報状態が「限界」の場合には負荷機器１８を０％稼働（停止）させるように制御している。また、このデマンド監視装置は、電力量計１１から出力される時限パルスおよび計量パルスに基づいてデマンド値（ｋＷ）および積算計量値（ｋＷｈ）を計測し、そのデマンド値（ｋＷ）および積算計量値（ｋＷｈ）を液晶ディスプレイ等の表示部で表示する。
【００２８】
ここで、デマンド監視装置１２を高圧受電の電力需要家に新たに設置する場合、そのデマンド監視装置１２が正常に動作するか否かについて性能試験を実施することが要望されている。また、デマンド監視装置１２を高圧受電の電力需要家に設置した後であっても、そのデマンド監視装置１２に表示されるデマンド値の異常が発生することがある。このような場合、デマンド監視装置１２本体の異常であるのか、あるいはデマンド監視装置１２の設置環境の影響による異常であるのかを判断するためにデマンド監視装置１２について検査を実施することが要望されている。
【００２９】
そこで、デマンド監視装置１２の設置時、そのデマンド監視装置１２が正常に動作するか否かについて性能試験を実施したり、また、デマンド監視装置１２の設置後、そのデマンド監視装置１２本体の異常であるのか、あるいはデマンド監視装置１２の設置環境の影響による異常であるのかを判断するためにデマンド監視装置１２について検査を実施したりするに際しては、図１に示すように、まず、デマンド監視装置１２の入力を電力量計１１の出力から取り外す。この時、負荷機器１８をデマンド監視装置１２に接続した状態のままで、デマンド監視装置１２の性能試験や検査を実施することにより、負荷機器１８の動作状態も確認することができる。なお、負荷機器１８の動作状態の確認が不要な場合は、負荷機器１８をデマンド監視装置１２から取り外した状態で、デマンド監視装置１２の性能試験や検査を実施することも可能である。
【００３０】
その上で、電力量計１１から出力される時限パルスおよび計量パルスと同等の時限パルスおよび計量パルスを擬似的に生成するデマンドパルス出力装置１３を、電力量計１１から取り外されたデマンド監視装置１２に接続する。また、デマンド監視装置１２およびデマンドパルス出力装置１３に、需要電力に応じた警報状態、つまり、「余裕」「注意」「限界」からなる三段階の警報状態を段階的に表示する表示装置１４を接続する。
【００３１】
このようにして、デマンドパルス出力装置１３で生成された擬似的な時限パルスおよび計量パルスをデマンド監視装置１２へ送出することにより、電力量計１１から出力される時限パルスおよび計量パルスをデマンド監視装置１２へ送出する場合（図２参照）と同等な状態に設定することで、デマンド監視装置１２の設置時、そのデマンド監視装置１２が正常に動作するか否かについて性能試験を実施することができる。また、デマンド監視装置１２の設置後、そのデマンド監視装置１２本体の異常であるのか、あるいはデマンド監視装置１２の設置環境の影響による異常であるのかを判断するためにデマンド監視装置１２について検査を実施することも可能である。このようにして、簡便な手段により、デマンド監視装置１２について設置時の試験あるいは設置後の検査を容易に実施し得ることで、信頼性の高いデマンド監視装置１２を提供することができる。
【００３２】
前述のデマンドパルス出力装置１３においては、メニューモード、校正モード、可変モード、動作確認モード（図３参照）および表示モード（図４参照）をボタン操作により選択可能としている。このように、メニューモード、校正モードおよび可変モードを選択可能としたことにより、電力量計１１から出力される時限パルスおよび計量パルスと同等の時限パルスおよび計量パルスを出力するための各種条件を容易に設定することができる。また、表示モードおよび動作確認モードを選択可能としたことにより、デマンド監視装置１２および負荷機器１８の制御状態を確認することができる。なお、このデマンドパルス出力装置１３には、メニューモード、校正モード、可変モード、表示モードおよび動作確認モードを選択するためのボタンの他、選択されたモードおよびデマンド監視装置１２に出力する計量パルスに相当する電力量を表示する液晶ディスプレイ等の表示部などが設けられている。
【００３３】
このデマンドパルス出力装置１３のメニューモードでは、図３に示すように、電力量計１１の種別に応じた計量パルスを出力するように変成比（ＶＴ比×ＣＴ比）をボタン操作により設定可能としている。この変成比の設定により、デマンドパルス出力装置１３における変成比を電力量計１１における変成比に合わせることができ、デマンドパルス出力装置１３が接続されたデマンド監視装置１２を、電力量計１１に接続した場合と同様に動作させることができる。
【００３４】
ここで、配電線１５（図１および図２参照）から計測する計器用変圧器１６（ＶＴ）の二次電圧はＡＣ１１０Ｖで、変流器１７（ＣＴ）の二次電流はＡＣ５Ａとなっている。従って、前述のＶＴ比は、一次電圧を二次電圧で除算した値であることから、６６００Ｖ／１１０Ｖ＝６０となる。また、変流器１６（ＣＴ）の一次電流は、２０Ａ、５０Ａ、１００Ａ、１５０Ａ、２００Ａを受電電流として使用していることから、前述のＣＴ比は、一次電流を二次電流で除算した値であることから、４、１０、２０、３０、４０となる。その結果、図５の表に示すように、変成比（ＶＴ比×ＣＴ比）は、２４０、６００、１２００、１８００、２４００となる。
【００３５】
このデマンドパルス出力装置１３の校正モードでは、図３に示すように、電力量計１１の種別に応じたパルス定数を選択可能としている。このパルス定数の選択により、デマンドパルス出力装置１３における計量パルスを電力量計１１が出力する計量パルスに合わせることができ、デマンドパルス出力装置１３が接続されたデマンド監視装置１２を、電力量計１１に接続した場合と同様に動作させることができる。この校正モードでは、例えば５００００パルス／ｋＷｈと２０００パルス／ｋＷｈのいずれかのパルス定数を選択することになる。５００００パルス／ｋＷｈのパルス定数を選択した場合、出力指示により、計量パルス〔＝（計量電力／変成比）×５００００パルス／ｋＷｈ〕をデマンドパルス出力装置１３がデマンド監視装置１２へ送出することになる。
【００３６】
ここで、変成比が２４０（ＶＴ比６０×ＣＴ比４）の時、デマンドパルス出力装置１３は、その出力を２４０ｋＷに設定して１時間継続させると、２４０ｋＷ／２４０＝１ｋＷｈに相当する計量パルス（５００００パルス）をデマンド監視装置１２へ出力する。その計量パルス（５００００パルス）が入力されたデマンド監視装置１２では、３０分間の計量パルス（２５０００パルス）×変成比（２４０）／パルス定数（５００００パルス／ｋＷｈ）の計算により電力量が１２０ｋＷｈになり、平均電力２４０ｋＷ（＝１２０ｋＷｈ／０．５ｈ）を表示する。以上のように、デマンドパルス出力装置１３の出力２４０ｋＷに対してデマンド監視装置１２が２４０ｋＷを表示することから、デマンドパルス出力装置１３の変成比とデマンド監視装置１２（電力量計１１）の変成比とを同一に設定する必要がある。
【００３７】
このデマンドパルス出力装置１３の可変モードでは、図３に示すように、電力量計１１の種別に応じたパルス定数をボタン操作により選択可能にすると共に、デマンド監視装置１２で警報を発する時の電力量をボタン操作により変更可能とし、かつ、時限パルスをリセット状態にボタン操作により設定可能としている。これにより、デマンドパルス出力装置１３における計量パルスを電力量計１１が出力する計量パルスに合わせることができ、デマンドパルス出力装置１３が接続されたデマンド監視装置１２を、電力量計１１に接続した場合と同様に動作させることができる。また、デマンド監視装置１２で警報を発する時の電力量を任意の値に設定することができる。この場合、電力量を計測する上での時限パルスをリセットすることになる。つまり、出力指示により、リセットされた時限パルス（３０分間隔）をデマンドパルス出力装置１３がデマンド監視装置１２へ送出する。
【００３８】
ここで、電力量計１１の種別に応じたパルス定数を選択可能にする点については、前述の校正モードの場合と同様、５００００パルス／ｋＷｈのパルス定数を選択した場合、出力指示により、計量パルス〔＝（計量電力／変成比）×５００００パルス／ｋＷｈ）をデマンドパルス出力装置１３がデマンド監視装置１２へ送出する。また、デマンド監視装置１２で警報を発する時の電力量を変更可能にする点については、例えば、警報を発する時の電力量を２０ｋＷｈから５０ｋＷｈへ変更する場合、計量パルスを２．５倍にすればよく、計量パルスの倍率を変更することになる。つまり、出力指示により、２．５倍の計量パルス〔＝（計量電力／変成比）×５００００パルス／ｋＷｈ）をデマンドパルス出力装置１３がデマンド監視装置１２へ送出する。
【００３９】
このデマンドパルス出力装置１３の表示モードでは、図４に示すように、デマンドパルス出力装置１３から出力される計量パルスを自動的に増減させることにより、その計量パルスに応じた警報状態「余裕」「注意」「限界」を、デマンド監視装置１２から表示装置１４へ段階的に出力すると共にその表示装置１４からデマンドパルス出力装置１３へ出力する一連の動作を、増減された計量パルスごとに例えば約２０分程度で繰り返し可能としている。これにより、デマンド監視装置１２の表示動作および制御動作が正常に繰り返すか否かを確認することができる。なお、表示装置１４は、警報状態「余裕」「注意」「限界」をランプ点灯により表示する表示部を有する。
【００４０】
この表示モードについては、図６の表に示すように、変成比が２４０の場合（図５の表参照）について詳述する。なお、この場合、デマンド監視装置１２では、図７に示すように、警報状態が「余裕」から「注意」へ移行する注意閾値を例えば６５ｋＷｈに予め設定すると共に、「注意」から「限界」へ移行する限界閾値を例えば７５ｋＷｈに予め設定する。この表示モードでは、以下の（１）〜（５）からなる一連の動作を繰り返すことになる。
【００４１】
（１）まず、図６の表における「余裕出力」としての指令値「９６ｋＷ」に相当する計量パルスをデマンドパルス出力装置１３で生成してデマンド監視装置１２へ送出する。そのデマンド監視装置１２では、デマンドパルス出力装置１３からの計量パルスを積算計量すると共にその計量値を指令値「９６ｋＷ」まで増加させながら表示する。この指令値「９６ｋＷ」に基づく積算計量値が、デマンド監視装置１２で設定された注意閾値６５ｋＷよりも大きくなると、デマンド監視装置１２は「注意」信号を表示装置１４へ送出する。この表示装置１４では、デマンド監視装置１２からの「注意」信号を受けると、警報状態「注意」をランプ点灯により表示すると共に「注意」信号をデマンドパルス出力装置１３へ送出する。
【００４２】
（２）デマンドパルス出力装置１３では、表示装置１４からの「注意」信号を受けると、前述の指令値「９６ｋＷ」を「注意出力」としての指令値「８０ｋＷ」に減少させ、その指令値「８０ｋＷ」に相当する計量パルスを生成してデマンド監視装置１２へ送出する。そのデマンド監視装置１２では、デマンドパルス出力装置１３からの計量パルスを積算計量すると共にその計量値を指令値「８０ｋＷ」まで増加させながら表示する。この指令値「８０ｋＷ」基づく積算計量値が、デマンド監視装置１２で設定された限界閾値７５ｋＷよりも大きくなると、デマンド監視装置１２は「限界」信号を表示装置１４へ送出する。この表示装置１４では、デマンド監視装置１２からの「限界」信号を受けると、警報状態「限界」をランプ点灯により表示すると共に「限界」信号をデマンドパルス出力装置１３へ送出する。
【００４３】
（３）デマンドパルス出力装置１３では、表示装置１４からの「限界」信号を受けると、前述の指令値「８０ｋＷ」を「限界出力」としての指令値「６０ｋＷ」に減少させ、その指令値「６０ｋＷ」に相当する計量パルスを生成してデマンド監視装置１２へ送出する。そのデマンド監視装置１２では、デマンドパルス出力装置１３からの計量パルスを積算計量すると共にその計量値を指令値「６０ｋＷ」まで減少させながら表示する。この指令値「６０ｋＷ」に基づく積算計量値が、デマンド監視装置１２で設定された注意閾値６５ｋＷよりも小さくなると、デマンド監視装置１２は警報状態「限界」を解除して「注意」信号を表示装置１４へ送出する。この表示装置１４では、デマンド監視装置１２からの「注意」信号を受けると、警報状態「注意」をランプ点灯により表示すると共に「注意」信号をデマンドパルス出力装置１３へ送出する。
【００４４】
（４）この場合、デマンドパルス出力装置１３では、表示装置１４からの「注意」信号を受けているが、前述の指令値「６０ｋＷ」相当の計量パルスを維持した状態でその計量パルスをデマンド監視装置１２へ送出する。そのデマンド監視装置１２では、デマンドパルス出力装置１３からの計量パルスを積算計量すると共にその計量値を指令値「６０ｋＷ」まで減少させながら表示する。この指令値「６０ｋＷ」に基づく積算計量値が、デマンド監視装置１２で設定された注意閾値６５ｋＷよりも小さくなると、デマンド監視装置１２は警報状態「注意」を解除して「余裕」信号を表示装置１４へ送出する。この表示装置１４では、デマンド監視装置１２からの「余裕」信号を受けると、警報状態「余裕」をランプ点灯により表示すると共に「余裕」信号をデマンドパルス出力装置１３へ送出する。
【００４５】
（５）デマンドパルス出力装置１３では、表示装置１４からの「余裕」信号を受けて、指令値「６０ｋＷ」に基づく積算計量値が６０ｋＷに達すると、前述の指令値「６０ｋＷ」を「余裕出力」としての指令値「９６ｋＷ」に増加させ、その指令値「９６ｋＷ」に相当する計量パルスを生成してデマンド監視装置１２へ送出する。このようにして、前述の（１）〜（４）の動作を繰り返すことにより、デマンド監視装置１２が警報状態「余裕」「注意」「限界」を自動的に繰り返すことで、デマンド監視装置１２の表示動作および制御動作が正常に繰り返すか否かを確認することができる。
【００４６】
次に、デマンドパルス出力装置１３の動作確認モードは、図８に示すように、前述の注意閾値６５ｋＷを目標デマンド電力とし、限界閾値７５ｋＷを限界デマンド電力として設定した場合、以下のような負荷機器１８の動作確認を可能にしている。図８では、デマンド周期Ｔを３０分とし、そのデマンド周期Ｔを、前期Ｔ1（０〜１０分）、中期Ｔ2（１０〜２０分）および後期Ｔ3（２０〜３０分）に分割し、デマンド監視装置１２で電力量を積算計量するサンプリング時間Δｔを前期Ｔ1で５分、中期Ｔ2で３分、後期Ｔ3で１分に設定した場合を例示する。なお、このデマンド周期Ｔの前期Ｔ1、中期Ｔ2および後期Ｔ3の分割時間と、それら前期Ｔ1、中期Ｔ2および後期Ｔ3でのサンプリング時間Δｔは前述の場合に限らず任意である。
【００４７】
この動作確認モードでは、デマンド周期Ｔの中期Ｔ2における任意の時点（中間点ｔ）に達するまでに、限界デマンド電力以上に相当する計量パルス、例えば８０ｋＷ相当まで増加させた計量パルスをデマンドパルス出力装置１３から出力し、デマンド周期Ｔの中期Ｔ2における中間点ｔで電力増加分の傾き（ΔＰ／Δｔ）をデマンド監視装置１２で検出
する。このデマンド監視装置１２では、その電力増加分の傾きに応じた予測デマンド電力を計量し、警報状態「余裕」から警報状態「注意」を経て警報状態「限界」へ段階的に移行し、その予測デマンド電力に基づいて、デマンド監視装置１２の出力に接続された負荷機器１８をデマンド周期Ｔの終点で目標デマンド電力以下となるように制御し、警報状態「限界」から警報状態「注意」を経て警報状態「余裕」へ段階的に移行させる。
【００４８】
このようにして負荷機器１８を制御することにより、デマンド監視装置１２が警報状態「余裕」から警報状態「注意」を経て警報状態「限界」へ移行することで、そのデマンド監視装置１２の出力で負荷機器１８が１００％稼働から７０％稼働を経て０％稼働（停止）へ移行し、また、デマンド監視装置１２が警報状態「限界」から警報状態「注意」を経て警報状態「余裕」へ移行することで、そのデマンド監視装置１２の出力で負荷機器１８が０％稼働（停止）から７０％稼働を経て１００％稼働へ移行するか否かを確認する。このようにして、負荷機器１８がデマンド周期Ｔの終点で目標デマンド電力以下となるように正常に制御されているか否かを動作確認することができる。なお、この動作確認モードでは、負荷機器１８の制御前の負荷電力（または負荷電流）と制御後の負荷電力（または負荷電流）を直接測定することにより動作確認することもできる。
【００４９】
また、デマンドパルス出力装置１３の動作確認モードでは、デマンドパルス出力装置１３から出力される任意の計量パルスに応じた警報状態に基づいて、デマンド監視装置１２の出力に接続された負荷機器１８の動作確認も可能としている。例えば、指令値「６０ｋＷ」に相当する計量パルスをデマンドパルス出力装置１３で生成してデマンド監視装置１２へ送出した場合に、このデマンド監視装置１２が「余裕」状態となってその出力で負荷機器１８が１００％稼働するか否かを確認する。また、指令値「７０ｋＷ」に相当する計量パルスをデマンドパルス出力装置１３で生成してデマンド監視装置１２へ送出した場合に、このデマンド監視装置１２が「注意」状態となってその出力で負荷機器が７０％稼働するか否かを確認する。さらに、指令値「９６ｋＷ」に相当する計量パルスをデマンドパルス出力装置１３で生成してデマンド監視装置１２へ送出した場合に、このデマンド監視装置１２が「限界」状態となってその出力で負荷機器１８が０％稼働（停止）するか否かを確認する。これにより、任意の計量パルスに応じた警報状態に追従して、負荷機器が正常に制御されているか否かを動作確認することができる。なお、この動作確認モードでは、デマンド監視装置１２およびデマンドパルス出力装置１３に表示装置１４を必ずしも接続する必要はない。また、この動作確認モードでも、負荷機器１８の制御前の負荷電力（または負荷電流）と制御後の負荷電力（または負荷電流）を直接測定することにより動作確認することができる。
【００５０】
このデマンド監視システムでは、デマンドパルス出力装置１３から出力される擬似的な計量パルスに相当するデマンド値（ｋＷ）および積算計量値（ｋＷｈ）をデマンド監視装置１２で計測し、デマンド値（ｋＷ）および積算計量値（ｋＷｈ）を記録するメモリ１９をデマンド監視装置１２に内蔵させている。これにより、擬似的な計量パルスに相当するデマンド値（ｋＷ）および積算計量値（ｋＷｈ）がデマンド監視装置１２により正確に計測されているか否かを確認することができる。このメモリに記録されたデータ、つまり、日時、デマンド値（ｋＷ）および積算計量値（ｋＷｈ）は有線または無線によりデマンド監視装置１２から取り出し可能である。
【００５１】
また、このデマンド監視システムでは、デマンドパルス出力装置１３とデマンド監視装置１２とを一体化した構造が可能である。このようにデマンドパルス出力装置１３とデマンド監視装置１２とを一体化することにより、デマンド監視システムのコンパクト化を図ることができる。なお、電力量計１１に接続されたデマンド監視装置１２の稼働状態では、そのデマンド監視装置１２にデマンドパルス出力装置１３を接続せず、デマンド監視装置１２の設置時の試験あるいは設置後の検査を実施するに際しては、そのデマンド監視装置１２にデマンドパルス出力装置１３を接続する必要がある。そのため、デマンドパルス出力装置１３とデマンド監視装置１２とを一体化する場合、デマンド監視装置１２とデマンドパルス出力装置１３との断接は、ハードウェアあるいはソフトウェアのいずれかで行うようにすればよい。
【００５２】
以上の実施形態では、電力量計１１が時限パルスおよび計量パルスの両方を出力する場合について説明したが、本発明はこれに限定されることなく、電力量計１１が計量パルスのみを出力する場合にも適用可能である。
【００５３】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５４】
１１  電力量計
１２  デマンド監視装置
１３  デマンドパルス出力装置
１４  表示装置
【図１】
0005431511.tif 000002
【図２】
0005431511.tif 000003
【図３】
0005431511.tif 000004
【図４】
0005431511.tif 000005
【図５】
0005431511.tif 000006
【図６】
0005431511.tif 000007
【図７】
0005431511.tif 000008
【図８】
0005431511.tif 000009